(57)【特許請求の範囲】
【請求項１】
固体状の服用物を収容する服用物包装体であって、
前記服用物を密閉状態で収容する服用物用空間と、前記服用物と同時に嚥下される服用補助物質を密閉状態で収容する補助物質用空間と、を備え、
前記服用物用空間が、前記服用物としての複数個の錠剤又はカプセルを列状に並ぶ状態で収容するように形成され、
前記補助物質用空間が、列状に並ぶ前記複数個の錠剤又はカプセルの列方向に沿って形成され、
前記服用物用空間は、服用時に当該服用物用空間と外部とを連通させて前記服用物用空間から前記服用物を外部に取り出し可能とする第１取出部を有し、
前記補助物質用空間は、服用時に当該補助物質用空間と外部とを連通させて前記補助物質用空間から前記服用補助物質を外部に取り出し可能とする第２取出し部を有し、
前記第１取出部と前記第２取出し部とが隣接している服用物包装体。
【請求項２】
前記服用物用空間と前記補助物質用空間との前記列方向における長さが同じである請求項１に記載の服用物包装体。
【請求項３】
前記服用物用空間と前記補助物質用空間とが、前記列方向に交差する方向に隣接している請求項２に記載の服用物包装体。
【請求項４】
前記列方向に直交する方向における断面視で、前記補助物質用空間が、前記服用物用空間を囲む状態に配置されている請求項３に記載の服用物包装体。
【発明の詳細な説明】
【技術分野】
【０００１】
本発明は、固体状の服用物を収容する服用物包装体に関する。
【背景技術】
【０００２】
服用物を収容する服用物包装体に関する従来技術として、例えば、錠剤等の服用物を密閉状態で収容する服用物用空間と、この服用物と同時に嚥下される服用補助物質を密閉状態で収容する補助物質用空間とが、服用物の取出し方向に沿って並ぶ状態で配置され、服用時に服用物及び服用補助物質を外部に取り出すための単一の取出口が設けられたものがある（例えば、特許文献１参照）。服用物とともに服用補助物質が服用者の口に投与されることで、服用者は別途の水や白湯がなくても或いは比較的少ない水や白湯があれば、服用物を容易に嚥下することができる。服用補助物質は、特開平１０−２３４８２０号公報（特許文献２）にも記載されているように、ゼリー等の流動性物質が用いられる。
【先行技術文献】
【特許文献】
【０００３】
【特許文献１】特開２０１１−２００２６１号公報
【特許文献２】特開平１０−２３４８２０号公報
【発明の概要】
【発明が解決しようとする課題】
【０００４】
上記従来の服用物包装体では、服用物及び服用補助物質は、一旦、包装体内で混成された状態となった後、取出口から外部に取り出されることになる（特許文献１の段落「００３８」及び「００３９」参照）。服用補助物質は、服用者の嚥下を容易にするために多量の水分を含有しているため、服用物によっては、服用補助物質との接触時間が長くなると服用までに溶融することで問題となる場合がある。
例えば、服用物が薬物を収容した水溶性のカプセル錠である場合は、服用物と服用補助物質とが混成されてから服用までの時間が長時間化した場合、カプセルが溶融してしまい、内部の薬物が拡散してしまい必要な部位に十分な量の薬物が投与されず、本来の効能を得難くなるという問題がある。また、服用物によっては、水分含有量の多い服用補助物質と混成されて溶融することで粘性が増し、嚥下に悪影響が出る可能性がある。
【０００５】
そこで、服用物の嚥下を容易化できしかも服用の直前まで服用物の変性を極力防止できる服用物包装体が望まれる。
【課題を解決するための手段】
【０００６】
本発明に係る服用物包装体の特徴構成は、固体状の服用物を収容する服用物包装体であって、前記服用物を密閉状態で収容する服用物用空間と、前記服用物と同時に嚥下される服用補助物質を密閉状態で収容する補助物質用空間と、を備え、前記服用物用空間が、前記服用物としての複数個の錠剤又はカプセルを列状に並ぶ状態で収容するように形成され、前記補助物質用空間が、列状に並ぶ前記複数個の錠剤又はカプセルの列方向に沿って形成され、前記服用物用空間は、服用時に当該服用物用空間と外部とを連通させて前記服用物用空間から前記服用物を外部に取り出し可能とする第１取出部を有し、前記補助物質用空間は、服用時に当該補助物質用空間と外部とを連通させて前記補助物質用空間から前記服用補助物質を外部に取り出し可能とする第２取出し部を有し、前記第１取出部と前記第２取出し部とが隣接している点にある。
【０００７】
本特徴構成によれば、服用物を服用する際には、第１取出部及び第２取出部が第１取出部から服用物が取り出され、第２取出部から服用補助物質が取り出される。第１取出部と第２取出部とは隣接しているので、これらの取り出し部の双方を服用者の口にあてがわせることができ、その状態で服用物及び服用補助物質を同時に取り出されることで、服用物及び服用補助物質が服用者の口腔内に供給される。そのため、服用物と服用補助物との双方が口腔内で混成されて一緒に嚥下できるため、服用物の嚥下が容易となる。しかも、服用物及び服用補助物質は、服用者の口腔内に取り込まれる際にはじめて混成されるため、服用の直前まで服用物及び服用補助物質を分離した状態で維持でき、服用物が服用補助物質に接触するタイミングを極力遅らせることができる。したがって、服用物の嚥下を容易化できしかも服用の直前まで服用物の変性を極力防止できる。
このような効果を好適に得るためにも、隣接する第１取出部及び第２取出部の位置関係は、第１取出部及び第２取出部の両方を同時に服用者の口に挿入乃至あてがわせることができる程度に近づいている位置関係が好ましく、具体的には例えば、第１取出部及び第２取出部の断面形状が取出方向視で３センチメートル四方の矩形状又はそれと同等の面積である９平方センチメートルの領域内に収まる位置関係が好ましい。
また、この構成によれば、錠剤やカプセルは服用物収容空間において列状に並ぶ状態で収容され、列状に並ぶこれらの服用物の列方向と同じ方向に沿って、補助物質用空間が形成される。そのため、服用物を服用物用空間の内部で列方向に沿って第１取出部に向かって移動させ、服用補助物質を補助物質用空間の内部で列方向に沿って第２取出部に向かって移動させることで服用物及び服用補助物質を取り出すことができる。そのため、服用物及び服用補助物質を同時に取り出し易い。
【０００８】
ここで、前記服用物用空間が、前記服用物としての複数個の錠剤又はカプセルを列状に並ぶ状態で収容するように形成され、前記補助物質用空間が、列状に並ぶ前記複数個の錠剤又はカプセルの列方向に沿って 形成されていると好適である。
【０００９】
この構成によれば、錠剤やカプセルは服用物収容空間において列状に並ぶ状態で収容され、列状に並ぶこれらの服用物の列方向と同じ方向に沿って、補助物質用空間が形成される。そのため、服用物を服用物用空間の内部で列方向に沿って第１取出部に向かって移動させ、服用補助物質を補助物質用空間の内部で列方向に沿って第２取出部に向かって移動させることで服用物及び服用補助物質を取り出すことができる。そのため、服用物及び服用補助物質を同時に取り出し易い。
【００１０】
また、前記服用物用空間と前記補助物質用空間との前記列方向における長さが同じであると好適である。
【００１１】
この構成によれば、服用物用空間に収容された列方向に並ぶ複数の服用物のうち第１取出部に近い一部だけを第１取出部から取り出す場合でも、その一部の服用物に対応する量だけの服用補助物質を補助物質用空間から取り出すことができる。したがって、服用物用空間に収容されている服用物を複数回に分けて服用する場合にでも、各回ごとの服用物を適切な量の服用補助物質と共に服用することができる。
【００１２】
また、前記服用物用空間と前記補助物質用空間とが、前記列方向に交差する方向に隣接していると好適である。
【００１３】
この構成によれば、包装体の包装材料を透明な材質で形成することで、服用物用空間に対して補助物質用空間が隣接する方向以外の方向から服用物用空間に収容された服用物を視認し得る。そのため、服用補助物質が色彩を帯びているかいないかに関わらず、服用物収容空間に収容されている服用物の視覚的な確認が行い易い。
【００１４】
また、前記列方向に直交する方向における断面視で、前記補助物質用空間が、前記服用物用空間を囲む状態に配置されていると好適である。
【００１５】
この構成によれば、服用物を第１取出部から取り出す際に、取り出し方向視で服用物の周囲を包囲するように服用補助物質が第２取出部から取り出されるため、服用者の口腔内で服用物が適切に服用補助物質に包囲された状態とし易い。
【図面の簡単な説明】
【００１６】
【図１】第１実施形態に係る服用物包装体の斜視図
【図２】第１実施形態に係る服用物包装体の服用時における第１取出部及び第２取出部を示す図
【図３】第２実施形態に係る服用物包装体の斜視図
【図４】第２実施形態に係る服用物包装体の服用時における第１取出部及び第２取出部を示す図
【図５】別実施形態に係る服用物包装体の斜視図
【図６】別実施形態に係る服用物包装体の斜視図
【図７】別実施形態に係る服用物包装体の斜視図
【図８】服用物包装体における情報を印字する部分を示す図
【図９】服用物包装体における情報を印字する部分の別形態を示す図
【発明を実施するための形態】
【００１７】
本発明に係る服用物包装体の実施形態を図面に基づいて説明する。
〔第１実施形態〕
本実施形態では、固体状の服用物として薬物の錠剤やカプセル剤を収容する服用物包装体を例示する。
【００１８】
図１に示すように、本実施形態の服用物包装体１は長尺状のスティック形状に形成されており、包装体本体により形成される収容空間Ｚは、板状の仕切部２により２つの空間Ｚ１・Ｚ２に区切られている。仕切部２は、服用物包装体１の長手方向の両端部に位置する一端側の取出部３及び他端側の取出部４の間に延在し、その外周縁の全部が服用物包装体１の包装体本体の内表面に接続されている。これにより、服用物包装体１の収容空間Ｚは、服用物用空間Ｚ１と補助物質用空間Ｚ２とにそれぞれ密閉状態で仕切られている。
【００１９】
服用物用空間Ｚ１には、服用物５が密閉状態で収容されており、補助物質用空間Ｚ２には、服用者により服用物５と同時に嚥下される服用補助物質６が密閉状態で収容されている。このように、服用物包装体１は、服用物５を密閉状態で収容する服用物用空間Ｚ１と、服用物５と同時に嚥下される服用補助物質６を密閉状態で収容する補助物質用空間Ｚ２と、を備えている。
【００２０】
本実施形態では、固体状の服用物として薬物の錠剤やカプセル剤を例示しているが、本発明においては、服用物としては、薬物に限らず、食品等、ヒトの口腔から体内に取り込まれる固体状の物質であればよく、固体状の服用物としては、粉状の服用物も含む。また、服用補助物質としては、可食性で流動性のあるゲル状物質（例えば、ゼラチンやペクチンなど）を用いるのが好ましい。
【００２１】
取出部３・４には切除位置を示す切除位置表示部７が印字により設けられており、服用者又は介護者等が、この切除位置表示部７が印字された切除位置において端片部８を切除できるようになっている。なお、切除位置表示部７は印字でなく、切り込み等の加工により設けてもよい。また、取出部としては、他端側の取出部４を設けずに、一端側の取出部３のみ設けてもよい。
【００２２】
図２に示すように、服用物５の服用時には、服用者又は介護者等が、例えば、長手方向の一端側の切除位置表示部７が印字された切除位置において端片部８を切除することで、服用物用空間Ｚ１が外部と連通し、服用物用空間Ｚ１の長手方向の一端部において形成される開口が第１取出部３ａとなって、服用物５を外部に取り出し可能となる。同様に、切除位置表示部７が印字された切除位置において端片部８が切除されることで、補助物質用空間Ｚ２が外部と連通し、補助物質用空間Ｚ２の長手方向の一端部において形成される開口が第２取出部３ｂとなって、服用補助物質６を外部に取り出し可能となる。
【００２３】
このように、服用物用空間Ｚ１は、服用時に当該服用物用空間Ｚ１と外部とを連通させて服用物用空間Ｚ１から服用物５を外部に取り出し可能とする第１取出部３ａを有している。また、補助物質用空間Ｚ２は、服用時に当該補助物質用空間Ｚ２と外部とを連通させて補助物質用空間Ｚ２から服用補助物質６を外部に取り出し可能とする第２取出部３ｂを有している。
【００２４】
服用物用空間Ｚ１は、長手方向視の大きさが服用物５の大きさに対応した大きさに形成されており、服用物５を長手方向に沿って列状に並ぶ状態で収容するように形成されている。そして、補助物質用空間Ｚ２は、長手方向視の形状が服用物用空間Ｚ１と略同じ形状に形成されており、列状に並ぶ複数個の服用物５の列方向に沿って形成され、服用物用空間Ｚ１と列方向における長さが同じとなっている。
【００２５】
なお、補助物質用空間Ｚ２の容積は服用物用空間Ｚ１の容積と略同容積か、又は服用物用空間Ｚ１の容積より大きいことが好ましい、本実施形態のように両者の長さが同じである場合は、長手方向視の補助物質用空間Ｚ２の大きさは、長手方向視の服用物用空間Ｚ１の大きさと同じまたはより大きいことが好ましい。補助物質用空間Ｚ２に収容される服用補助物質６は、補助物質用空間Ｚ２の容積の８割以上の体積であることが好ましい。
【００２６】
服用物用空間Ｚ１と補助物質用空間Ｚ２とは、仕切部２を隔てて、長手方向に直行する方向で隣接している。つまり、服用物用空間Ｚ１と補助物質用空間Ｚ２とが、列方向に交差する方向に隣接している。服用物用空間Ｚ１と補助物質用空間Ｚ２とがこのように配置されているため、第１取出部３ａと第２取出部３ｂとは隣接しており、服用者が取出部３を口にあてがうことで、第１取出部３ａと第２取出部３ｂとの双方が口にあてがわれる。したがって、服用物用空間Ｚ１の第１取出部３ａから取り出される服用物５と、補助物質用空間Ｚ２の第２取出部３ｂからの取り出される服用補助物質６とを、同時に口腔内に供給することができ、服用者の口腔内において、服用物５と服用補助物質６とが混成されるため、服用物５が服用補助物質６に接触のタイミングを極力遅らせることができる。これにより、服用物５及び服用補助物質６の接触による服用物５の変化を極力抑えた状態で、服用物５及び服用補助物質６を服用者の口腔内に供給できる。
【００２７】
〔第２実施形態〕
第２実施形態の服用物包装体１は、服用物用空間Ｚ１及び補助物質用空間Ｚ２の形状及び配置が第１実施形態と異なる。
図３及び図４に示すように、本実施形態では、包装体本体により形成される収容空間Ｚは、筒状の仕切部２により２つの空間Ｚ１・Ｚ２に区切られている。仕切部２は、服用物包装体１の長手方向の両端部に位置する一端側の取出部３及び他端側の取出部４の間に延在し、筒形状の仕切部２の内方側（円筒径方向で中心側）の空間が服用物用空間Ｚ１となっており、服用物包装体１の包装体本体と円筒形状の仕切部２との間に形成される空間が補助物質用空間Ｚ２となっている。つまり、第２実施形態では、服用物用空間Ｚ１及び補助物質用空間Ｚ２は、筒形状の仕切部２の円筒径方向で隣接しており、複数の服用物５が並ぶ列方向に直交する方向における断面視で、補助物質用空間が、服用物用空間を囲む状態に配置されている。
【００２８】
服用物用空間Ｚ１及び補助物質用空間Ｚ２をこのように配置する場合、服用物用空間Ｚ１に収容される服用物５を視認できるようにするためには、包装体本体及び仕切部２を透明材料にすることに加えて、補助物質用空間Ｚ２に収容される服用補助物質も透明な材料にすることが好ましい。
【００２９】
図４に示すように、服用物５の服用時には、服用者又は介護者等が、例えば、長手方向の一端側の切除位置表示部７が印字された切除位置において端片部８を切除することで、包装体本体及び仕切部２の一端部に開口が形成される。これにより、服用物用空間Ｚ１が外部と連通し、服用物用空間Ｚ１の長手方向の一端部において形成される開口が第１取出部３ａとなって、服用物５を外部に取り出し可能となる。同様に、切除位置表示部７が印字された切除位置において端片部８が切除されることで、補助物質用空間Ｚ２が外部と連通し、補助物質用空間Ｚ２の長手方向の一端部において形成される開口が第２取出部３ｂとなって、服用補助物質６を外部に取り出し可能となる。
【００３０】
服用物用空間Ｚ１の第１取出部３ａから取り出される服用物５と、補助物質用空間Ｚ２の第２取出部３ｂからの取り出される服用補助物質６とを、同時に口腔内に供給することができ、服用者の口腔内において、服用物５と服用補助物質６とが混成される。本実施形態では、服用物用空間Ｚ１及び補助物質用空間Ｚ２は、筒形状の仕切部２の円筒径方向で隣接しており、複数の服用物５が並ぶ列方向に直交する方向における断面視で、補助物質用空間Ｚ２が、服用物用空間Ｚ１を囲む状態に配置されているため、服用物５を第１取出部３ａから取り出す際に、取り出し方向視で服用物５の周囲を包囲するように服用補助物質６が第２取出部３ｂから取り出されるため、服用者の口腔内で服用物５が適切に服用補助物質６に包囲された状態とし易い。
【００３１】
〔別実施形態〕
以上、発明者によってなされた発明を発明の実施形態に基づき具体的に説明したが、本発明は上記実施形態に限定されるものではなく、その要旨を逸脱しない範囲で種々変更可能である。以下、本発明の別実施形態を例示する。また、以下に記載された各構成は、矛盾が生じない限り組み合わせることができる。
【００３２】
（１）上記第１実施形態及び第２実施形態では、服用物用空間が、複数個の服用物を列状に並ぶ状態で収容するように形成され、補助物質用空間が、列状に並ぶ複数個の服用物の列方向に沿って形成されているものを例示したが、図５に示すように、服用物用空間Ｚ１が、複数個の服用物５を一纏まりに収容するものであってもよい。
【００３３】
（２）上記第１実施形態及び第２実施形態では、服用物用空間と補助物質用空間とが隣接するものを例示したが、図５に示すように、服用物用空間と補助物質用空間とが離間して配置されているものでもよい。この場合でも、服用物用空間Ｚ１の第１取出部３ａと補助物質用空間Ｚ２の第２取出部３ｂとが隣接しているので、服用物５と服用補助物質６とを、同時に口腔内に供給することができ、服用者の口腔内において、服用物５と服用補助物質６とが混成される。
【００３４】
（３）服用物用空間と補助物質用空間とが列方向に交差する方向に隣接する場合の列方向に交差する方向としては、服用物用空間の列方向に交差する方向での断面形状から特定される方向であればよい。例えば、服用物用空間の該方向での断面形状が偏平である場合、第１実施形態では、服用物用空間の偏平断面形状についての長手方向である例を示しており、これに代えて、図６で示すように、服用物用空間の偏平断面形状についての短手方向であっても良い。
【００３５】
（４）上記第１実施形態及び第２実施形態では、服用物用空間が１個の連続する空間であるものを例示したが、図７に示すように、服用物用空間Ｚ１を複数の小空間Ｚ１ｓに区分してもよい。図７に示す例では、補助物質用空間Ｚ２を、服用物用空間Ｚ１の複数の小空間Ｚ１ｓに対応させて複数の小空間Ｚ２ｓに区分し、服用物用の小空間Ｚ１ｓと補助物質用の小空間Ｚ２ｓとで小空間対を為し、この小空間対が長手方向に複数並んでいる。図７の服用物包装体１では、各小空間対のそれぞれについて第１取出部３ａ及び第２取出部３ｂが設けられている。
【００３６】
（５）服用物包装体１においては、収容された服用物の属性を示す情報を作業者や服用者が目視できるように表示したり、服用物包装体１に対して処理を行う装置がその服用物包装体１を個別に識別可能な情報を表示しておくことによって、服用物包装体１の取り違えを防止したり、作業者や服用者の利便性の向上を図ることができる。属性を示す情報としては、例えば、服用者の氏名、服用タイミング、収容されている服用物５の名称、収容されている服用物５の期限、又は、服用物包装体１を各別に識別するための識別情報等がある。服用物包装体１の識別情報としては、例えば、シリアル番号、バーコード、又は二次元コードなどが考えられる。
【００３７】
具体的には、例えば図８や図９に示すように、服用物包装体１に属性情報を表示する表示領域９を設け、その表示領域９に印字又は貼付等によって属性情報を表示させることが考えられる。図８には、服用物包装体１の包装体本体における胴体部分に表示領域９を設けた場合を示している。また、図９には、服用物包装体１の長手方向の一端部に表示領域９を設けた場合を示している。なお、収容される服用物５の外部からの視認性を考慮すると、表示領域９は、服用物包装体１の長手方向の一端部に設けられることが好ましいが、表示領域９をその他の部分に設けるようにしてもよい。
【符号の説明】
【００３８】
Ｚ１  服用物用空間
Ｚ２  補助物質用空間
１    服用物包装体
３ａ  第１取出部
３ｂ  第２取出部
５    服用物
６    服用補助物質
【図１】
0006314869.tif 000002
【図２】
0006314869.tif 000003
【図３】
0006314869.tif 000004
【図４】
0006314869.tif 000005
【図５】
0006314869.tif 000006
【図６】
0006314869.tif 000007
【図７】
0006314869.tif 000008
【図８】
0006314869.tif 000009
【図９】
0006314869.tif 000010